(57)【要約】【課題】撮影レンズの回転操作部材の操作により制御を行う撮像装置の操作性を向上させる。【解決手段】レンズ鏡筒と操作部材とを備えた撮影レンズであって且つ操作部材の操作によりレンズ鏡筒を、撮影が可能な伸筒位置または撮影が不可能な縮筒位置に伸縮させる撮影レンズ４を着脱可能なマウント部を備える撮像装置２であって、マウント部に装着された撮影レンズからレンズ位置情報を受信する受信部４６と、受信部を介して受信したレンズ位置情報に基づいて撮像装置の制御を行なう制御部４０と、制御部による撮像装置の制御の有効または無効を撮像装置の動作状態毎に切り替える切替部４０とを備える。【選択図】図３
2014010202.tif 000002
【特許請求の範囲】
【請求項１】
レンズ鏡筒と操作部材とを備えた撮影レンズであって且つ前記操作部材の操作により前記レンズ鏡筒を、撮影が可能な伸筒位置または撮影が不可能な縮筒位置に伸縮させる撮影レンズを着脱可能なマウント部を備えた撮像装置であって、
前記マウント部に装着された前記撮影レンズからレンズ位置情報を受信する受信部と、
前記受信部を介して受信した前記レンズ位置情報に基づいて、前記撮像装置の制御を行なう制御部と、
前記制御部による前記撮像装置の制御の有効または無効を、前記撮像装置の動作状態毎に切り替える切替部と
を備えることを特徴とする撮像装置。
【請求項２】
前記撮像装置の制御の有効または無効を前記撮像装置の動作状態毎に設定する設定部を備えることを特徴とする請求項１記載の撮像装置。
【請求項３】
前記受信部は、前記レンズ位置情報を一定時間間隔で受信することを特徴とする請求項１または２記載の撮像装置。
【請求項４】
前記レンズ位置情報は、前記撮像装置からのレンズ状態の問合わせの応答として前記撮影レンズから送信されることを特徴とする請求項３記載の撮像装置。
【請求項５】
前記制御部は、前記撮像装置の動作状態がライブビュー画像表示状態であり、かつ前記受信部を介して受信したレンズ位置情報が前記伸筒位置から前記縮筒位置に変化した場合に電源ＯＦＦ処理を行なうことを特徴とする請求項１〜４の何れか一項に記載の撮像装置。
【請求項６】
前記制御部は、前記撮像装置の動作状態が再生画像表示状態であり、かつ前記受信部を介して受信したレンズ位置情報が前記伸筒位置から前記縮筒位置に変化した場合に電源ＯＦＦ処理を行なわないことを特徴とする請求項１〜４の何れか一項に記載の撮像装置。
【請求項７】
前記制御部は、前記受信部を介して受信したレンズ位置情報の変化に基づいて再生画像の切り替えを行うことを特徴とする請求項５記載の撮像装置。
【請求項８】
前記制御部は、前記撮像装置の動作状態がメニュー画面表示状態であり、かつ前記受信部を介して受信したレンズ位置情報が前記伸筒位置から前記縮筒位置に変化した場合に電源ＯＦＦ処理を行なわないことを特徴とする請求項１〜４の何れか一項に記載の撮像装置。
【請求項９】
前記制御部は、前記受信部を介して受信したレンズ位置情報の変化に基づいて選択メニュー項目の切り替えを行うことを特徴とする請求項８記載の撮像装置。
【発明の詳細な説明】
【技術分野】
【０００１】
本発明は、撮像装置に関するものである。
【背景技術】
【０００２】
従来、撮影レンズの操作部材（ズームレンズなどのマニュアル操作環）を操作することによりレンズ鏡筒を伸筒位置から縮筒位置に移動させると電源をＯＦＦし、縮筒位置から伸筒位置に移動させると電源をＯＮすることにより、電源ボタンの操作を不要とした撮像装置が存在する（例えば、特許文献１参照）。
【先行技術文献】
【特許文献】
【０００３】
【特許文献１】特開２０１０−２４３７３４号公報
【発明の概要】
【発明が解決しようとする課題】
【０００４】
しかしながら、上述の撮像装置においては、撮影レンズの鏡筒の位置によって必ず電源ＯＮまたは電源ＯＦＦの処理が行なわれるので、再生画像の表示を行っているときに、ユーザが意図せずに撮影レンズの操作部材に触れてしまい、レンズ鏡筒が縮筒位置に移動した場合には電源がＯＦＦとなり操作性の低下を招いていた。
【０００５】
本発明の目的は、撮影レンズの操作部材の操作により制御を行う撮像装置の操作性を向上させることである。
【課題を解決するための手段】
【０００６】
本発明は以下のような解決手段により上記課題を解決する。なお、理解を容易にするために、本発明の実施の形態に対応する符号を付して説明するが、本発明はこれに限定されるものではない。
【０００７】
本発明の撮像装置は、レンズ鏡筒と操作部材とを備えた撮影レンズであって且つ操作部材（１６）の操作により前記レンズ鏡筒を、撮影が可能な伸筒位置または撮影が不可能な縮筒位置に位置させる撮影レンズ（４）を着脱可能なマウント部を備える撮像装置（２）であって、マウント部に装着された前記撮影レンズからレンズ位置情報を受信する受信部（４６）と、前記受信部を介して受信したレンズ位置情報に基づいて前記撮像装置の制御を行なう制御部（４０）と、前記制御部による前記撮像装置の制御の有効または無効を前記撮像装置の動作モードにより切り替える切替部（４０）とを備えることを特徴とする。
【発明の効果】
【０００８】
本発明によれば、撮影レンズの操作部材の操作により制御を行う撮像装置の操作性を向上させることができる。
【図面の簡単な説明】
【０００９】
【図１】実施の形態に係るデジタルカメラの外観を示す斜視図である。
【図２】実施の形態に係るデジタルカメラの背面を示す図である。
【図３】実施の形態に係るデジタルカメラのシステム構成を示すブロック図である。
【図４】実施の形態に係る動作状態毎の電源ＯＦＦ制御の設定情報を示す図である。
【図５】実施の形態に係るレンズ鏡筒操作による電源ＯＦＦ制御を示すフローチャートである。
【図６】実施の形態に係るレンズ鏡筒操作による電源ＯＦＦ制御の他の例を示すフローチャートである。
【図７】実施の形態に係るレンズ鏡筒操作による再生画像の送り制御時の表示状態を示す図である。
【発明を実施するための形態】
【００１０】
以下、図面を参照して、本発明の実施の形態に係る撮像装置としてのデジタルカメラについて説明する。図１は実施の形態に係るデジタルカメラの外観を示す斜視図である。デジタルカメラ２はレンズ交換式のカメラである。デジタルカメラ２の前面には、撮影レンズ４を着脱可能に装着するための不図示のマウント部が設けられている。ここでマウント部には撮影レンズ４側のマウント部に設けられているデータ通信用及び電力供給用の接点に物理的かつ電気的に接続する接点が設けられている。またデジタルカメラ２の前面には、レンズ着脱ボタン６が設けられている。レンズ着脱ボタン６を押下することにより、撮影レンズ４の取外しが可能となる。
【００１１】
デジタルカメラ２の上面には、デジタルカメラ２の電源のＯＮ／ＯＦＦを行う電源ボタン８、被写体の撮影を指示するシャッターボタン１０、動画撮影の開始及び終了を指示する動画撮影ボタン１２が設けられている。
【００１２】
撮影レンズ４は、ズームレンズやフォーカスレンズ等の複数のレンズ部材を収容するレンズ鏡筒１４を備えている。レンズ鏡筒１４は、固定筒１４ａ、及び固定筒１４ａに対して光軸方向に移動可能な移動筒１４ｂにより構成されている。移動筒１４ｂの外周部には、ズーム環１６及び縮筒解除ボタン１８が設けられている。
【００１３】
移動筒１４ｂは、撮影が可能な位置までレンズ鏡筒１４の全長を伸長させた伸筒位置と、撮影が不可能な位置までレンズ鏡筒１４の全長を短縮させた縮筒位置との間を移動する。移動筒１４ｂの移動は、ズーム環１６の操作に応じて行なわれる。レンズ鏡筒１４の表面には、焦点距離を示す目盛や文字が表示されている。ここでレンズ鏡筒１４の表面に表示されている焦点目盛「３０」よりも広角側がレンズ鏡筒１４の縮筒位置、即ち撮影が不可能な位置であり、焦点目盛「３０」よりも望遠側がレンズ鏡筒１４の伸筒位置、即ち撮影が可能な位置である。
【００１４】
なおレンズ鏡筒１４には、縮筒位置から伸筒位置への移動筒１４ｂの移動、及び伸筒位置から縮筒位置への移動筒１４ｂの移動を規制する規制部が設けられ、縮筒解除ボタン１８が押し込まれた場合に規制部による規制が解除される。従ってレンズ鏡筒１４が縮筒位置にある場合には、縮筒解除ボタン１８を押し込みながらズーム環１６を望遠側に回転操作することによってレンズ鏡筒１４を伸筒位置まで伸長させることができ、レンズ鏡筒１４が伸筒位置にある場合には、縮筒解除ボタン１８を押し込みながらズーム環１６を広角側に回転操作することによってレンズ鏡筒１４を縮筒位置まで短縮させることができる。
【００１５】
図２は実施の形態に係るデジタルカメラ２の背面を示す図である。デジタルカメラ２の背面には、表示部２０、モードセレクタ２２、ロータリースイッチ２４、再生ボタン２６、削除ボタン２８及びメニューボタン３０が設けられている。
【００１６】
表示部２０は、ＬＣＤ等により構成され、メニュー画面、ライブビュー画像、再生画像等の表示を行なう。モードセレクタ２２は、静止画撮影モード、動画撮影モード等の撮影モードを設定する際に使用される。再生ボタン２６は、表示部２０に撮影画像を表示させる再生モードへの切替えを行なう際に使用される。削除ボタン２８は、表示部２０に表示されている撮影画像を削除する際に使用される。メニューボタン３０は、デジタルカメラ２の各種設定を行なうメニュー画面を表示部２０に表示させる際に使用される。
【００１７】
ロータリースイッチ２４は、回転部と、中央部のＯＫボタンとから構成されている。回転部を時計回りまたは反時計回りに回転させるか、あるいは回転部の上、下、左、右のいずれかの部分を押下することによりメニュー画面に表示されているメニュー項目や再生画像の選択を行ない、ＯＫボタンを押下することによって選択したメニュー項目や再生画像を確定する。
【００１８】
図３は実施の形態に係るデジタルカメラのシステム構成を示すブロック図である。デジタルカメラ２は、デジタルカメラ２の全体を統括的に制御するカメラ側ＣＰＵ４０を有している。カメラ側ＣＰＵ４０には、表示部２０、撮像素子４２、操作部４４、通信部４６、メモリ４８、電源部５０、電力供給部５１が接続され、更にメモリーカード５２が着脱可能に装着されている。
【００１９】
撮像素子４２は、撮影レンズ４を介して入射した被写体光を撮像し、撮像信号をカメラ側ＣＰＵ４０に出力する。操作部４４は、電源ボタン８、シャッターボタン１０、動画撮影ボタン１２、モードセレクタ２２、ロータリースイッチ２４、再生ボタン２６、削除ボタン２８、メニューボタン３０を含んでいる。通信部４６は、後述するレンズ側ＣＰＵ６０との間でデータの送受信を行なう。
【００２０】
メモリ４８には、撮影制御を行なうプログラムや、レンズ鏡筒１４が伸筒位置から縮筒位置に移動したときの電源ＯＦＦ制御のプログラム等が記憶されている。またメモリ４８には、デジタルカメラ２の動作状態毎に、レンズ鏡筒１４が伸筒位置から縮筒位置に移動した際の電源ＯＦＦ制御を有効とするか無効とするかの設定情報が記憶されている。
【００２１】
電源部５０は、デジタルカメラ２の各部に電力を供給する。電力供給部５１は、撮影レンズ４に対する電力供給を行なう。メモリーカード５２には、撮像された静止画像、動画像等の画像データが記録されている。
【００２２】
撮影レンズ４は、レンズ側ＣＰＵ６０を有している。レンズ側ＣＰＵ６０には、レンズ側通信部６２、レンズ位置検出部６４及び電力制御部６６が接続されている。レンズ側通信部６２は、カメラ側ＣＰＵ４０との間でデータの送受信を行なう。レンズ位置検出部６４は、レンズ鏡筒１４の位置を検出しレンズ側ＣＰＵ６０に対して出力する。電力制御部６６は、デジタルカメラ２の電力供給部５１を介して供給された電力をレンズ側ＣＰＵ６０に対して供給する。
【００２３】
図４はデジタルカメラ２の動作状態毎の電源ＯＦＦ制御の設定情報を示す図である。ここで動作状態毎の電源ＯＦＦ制御の設定は、初期値として図４に示すように予め設定されているが、ユーザがメニュー画面等を用いて変更できるようにしてもよい。
【００２４】
図４に示すように、ライブビュー画像を表示している状態（撮影モード）及びスリープ状態（スリープモード）の場合にはレンズ鏡筒１４が伸筒位置から縮筒位置に移動した場合の電源ＯＦＦ制御が有効に設定されている。一方、メニュー画面を表示している状態（メニューモード）、再生画像を表示している状態（静止画再生モード）、動画を再生している状態（動画再生モード）及びスライドショーを実行している状態（スライドショーモード）の場合にはレンズ鏡筒１４が伸筒位置から縮筒位置に移動した場合の電源ＯＦＦ制御が無効に設定されている。ここでメニューモード中において電源ＯＦＦ制御が無効に設定されているのは、メニュー設定を電源ＯＦＦ制御よりも優先させるためである。静止画再生モードにおいて電源ＯＦＦ制御が無効に設定されているのは、再生画像の表示を電源ＯＦＦ制御よりも優先させるためである。動画再生モードにおいて電源ＯＦＦ制御が無効に設定されているのは、動画の再生を電源ＯＦＦ制御よりも優先させるためである。スライドショーモードにおいて電源ＯＦＦ制御が無効に設定されているのは、スライドショーを電源ＯＦＦ制御よりも優先させるためである。
【００２５】
次に図５に示すフローチャートを参照して、デジタルカメラのレンズ鏡筒操作による電源ＯＦＦ制御について説明する。ここでデジタルカメラ２はスリープ状態以外の動作状態で動作しているものとする。また撮影レンズ４のレンズ鏡筒１４は伸筒位置にあるものとする。
【００２６】
デジタルカメラ２のカメラ側ＣＰＵ４０は、通信部４６を介して撮影レンズ４に対して一定時間間隔でレンズ状態の問い合わせを行なうレンズ状態問合信号を送信する。撮影レンズ４のレンズ側ＣＰＵ６０は、レンズ側通信部６２を介してレンズ状態問合信号を受信すると、その応答としてレンズ位置検出部６４により検出したレンズ位置情報を含むレンズ状態応答信号をレンズ側通信部６２を介して送信する。従って、カメラ側ＣＰＵ４０は一定時間間隔でレンズ位置情報を受信する（ステップＳ１）。カメラ側ＣＰＵ４０は、前回受信したレンズ位置情報と今回受信したレンズ位置情報に基づいて、レンズ鏡筒１４が伸筒位置から縮筒位置に移動したか否かを判断する（ステップＳ２）。即ち、カメラ側ＣＰＵ４０は、撮影レンズ４から受信したレンズ位置情報が焦点目盛「３０」よりも望遠側である場合には、ステップＳ２においてレンズ鏡筒１４が伸筒位置から縮筒位置に移動していないと判断し（ステップＳ２、Ｎｏ）、受信したレンズ状態応答信号に基づいた処理を実行し、このフローチャートで示す電源ＯＦＦ制御を終了する。
【００２７】
カメラ側ＣＰＵ４０は、ステップＳ２においてレンズ鏡筒１４が伸筒位置から縮筒位置に移動したと判断した場合（ステップＳ２、Ｙｅｓ）、即ち、撮影レンズ４から受信したレンズ位置情報が焦点目盛「３０」よりも広角側である場合には、現在の動作状態がレンズ鏡筒１４を縮筒位置に移動させた場合に電源ＯＦＦ処理を行なうことが有効に設定された動作状態であるか否かを判断する（ステップＳ３）。即ち現在の動作状態がライブビュー画像表示中（撮影モード）であるか否かを判断する。
【００２８】
カメラ側ＣＰＵ４０は、ステップＳ３において電源ＯＦＦ処理を行なうことが有効に設定された動作状態であると判断した場合（ステップＳ３、Ｙｅｓ）、デジタルカメラ２の電源ＯＦＦ処理を実行してこのフローチャートで示す電源ＯＦＦ制御を終了する（ステップＳ５）。
【００２９】
一方、カメラ側ＣＰＵ４０は、ステップＳ３において、電源ＯＦＦ処理を行なうことが無効に設定された動作状態であると判断した場合（ステップＳ３、Ｎｏ）、即ち動作状態がメニュー画面表示中、静止画像再生中、動画像再生中、スライドショー実行中の何れかの動作状態であると判断した場合、電源ボタン８が操作されたか否かを判断する（ステップＳ４）。カメラ側ＣＰＵ４０は、電源ボタン８が操作された場合（ステップＳ４、Ｙｅｓ）、デジタルカメラ２の電源ＯＦＦ処理を実行してこのフローチャートで示す電源ＯＦＦ制御を終了する（ステップＳ５）。カメラ側ＣＰＵ４０は、ステップＳ４において電源ボタン８が押下されていないと判断した場合（ステップＳ４、Ｎｏ）、受信したレンズ状態応答信号に基づいた処理を実行してこのフローチャートで示す電源ＯＦＦ制御を終了する。ここで電源ＯＦＦ処理が行なわれた後に、撮影レンズ４のレンズ位置が縮筒位置から伸筒位置に変化した場合には、デジタルカメラ２の電源ＯＮ処理が行なわれる。
【００３０】
なお、デジタルカメラ２の動作状態がスリープ中の場合には、カメラ側ＣＰＵ４０は電力供給部５１を介して撮影レンズ４に電力供給を行なっているが、撮影レンズ４に対して一定時間間隔でのレンズ状態の問い合わせを行なわないため、撮影レンズ４のレンズ側ＣＰＵ６０はレンズ位置検出部６４により検出したレンズ位置が伸筒位置から縮筒位置に移動した場合には、レンズ側通信部６２を介してカメラ側ＣＰＵ４０に対してレンズ位置が縮筒位置となった旨の情報の送信を行う。カメラ側ＣＰＵ４０は、撮影レンズ４からレンズ位置が縮筒位置となった旨の情報を受信すると、デジタルカメラ２の電源ＯＦＦ処理を実行する。
【００３１】
また上述の電源ＯＦＦ制御においては、レンズ位置情報を一定時間間隔で受信しレンズ鏡筒１４が縮筒位置に移動した場合にデジタルカメラ２の動作状態を確認し、所定の動作状態の場合にデジタルカメラ２の電源ＯＦＦ処理を行なっていたが、図６のフローチャートに従ったデジタルカメラ２の電源ＯＦＦ制御を行うようにしてもよい。なおデジタルカメラ２はスリープ状態以外の動作状態で動作しているものとする。
【００３２】
先ずデジタルカメラ２の動作状態が再生モード（静止画像再生中、動画像再生中、スライドショー実行中）またはメニューモード（メニュー画面表示中）であるか否かを判別する（ステップＳ１１）。デジタルカメラ２のカメラ側ＣＰＵ４０は、現在の動作状態が再生モード及びメニューモード以外のモードでの動作状態であると判断した場合には（ステップＳ１１、Ｎｏ）、通信部４６を介して撮影レンズ４に対して一定時間間隔でレンズ状態の問い合わせを行なうレンズ状態問合信号を送信する。撮影レンズ４のレンズ側ＣＰＵ６０は、レンズ側通信部６２を介してレンズ状態問合信号を受信すると、その応答としてレンズ位置情報を含むレンズ状態応答信号をレンズ側通信部６２を介して送信する。従って、カメラ側ＣＰＵ４０は一定時間間隔でレンズ位置情報を受信する（ステップＳ１４）。カメラ側ＣＰＵ４０は、前回受信したレンズ位置情報と今回受信したレンズ位置情報に基づいて、レンズ鏡筒１４が伸筒位置から縮筒位置に移動したか否かを判断する（ステップＳ１５）。即ち、カメラ側ＣＰＵ４０は、撮影レンズ４から受信したレンズ位置情報が焦点目盛「３０」よりも望遠側である場合には、ステップＳ１５においてレンズ鏡筒１４が伸筒位置から縮筒位置に移動していないと判断し（ステップＳ１５、Ｎｏ）、受信したレンズ状態応答信号に基づいた処理を実行する。
【００３３】
カメラ側ＣＰＵ４０は、ステップＳ１５においてレンズ鏡筒１４が伸筒位置から縮筒位置に移動したと判断した場合（ステップＳ１５、Ｙｅｓ）、即ち、撮影レンズ４から受信したレンズ位置情報が焦点目盛「３０」よりも広角側である場合には、デジタルカメラ２の電源ＯＦＦ処理を実行してこのフローチャートで示す電源ＯＦＦ制御を終了する（ステップＳ１３）。
【００３４】
デジタルカメラ２のカメラ側ＣＰＵ４０は、現在の動作状態が再生モードまたはメニューモードによる動作状態であると判断した場合には（ステップＳ１１、Ｙｅｓ）、電源ボタン８が操作された場合に（スップＳ１２、Ｙｅｓ）、デジタルカメラ２の電源ＯＦＦ処理を実行してこのフローチャートで示す電源ＯＦＦ制御を終了する（ステップＳ１３）。カメラ側ＣＰＵ４０は、ステップＳ１２において電源ボタンが押下されていないと判断した場合、このフローチャートで示す電源ＯＦＦ制御を終了する。
【００３５】
この実施の形態に係るデジタルカメラによれば、撮影レンズの回転操作部材の操作による制御の操作性を向上させることができる。
【００３６】
なお、デジタルカメラ２の動作状態がスリープ中の場合には、カメラ側ＣＰＵ４０は電力供給部５１を介して撮影レンズ４に電力供給を行なっているが、撮影レンズ４に対して一定時間間隔でのレンズ状態の問い合わせを行なわないため、撮影レンズ４からレンズ位置が縮筒位置となった旨の情報を受信した場合に、デジタルカメラ２の電源ＯＦＦ処理を実行する。
【００３７】
また上述の実施の形態においては、再生モードにおける動作状態、例えば静止画像の表示中においては、撮影レンズ４から受信したレンズ位置情報が焦点目盛「３０」よりも広角側になった場合においても電源ＯＦＦ処理を実行しないため、撮影レンズ４のズーム環１６の回転操作により表示部２０に表示されている静止画像の送り処理を行うようにしてもよい。この場合図７に示すように、再生モードにおける静止画像の表示中は、表示部２０にロータリースイッチ２４による静止画像の送り処理が可能であることを示すアイコン７０と、ズーム環１６の回転操作による静止画像の送り処理が可能であることを示すアイコン７２を表示する。ここでロータリースイッチ２４による静止画像の送り処理では、ロータリースイッチ２４の回転操作により、例えば一枚ずつ、又は数枚ずつ静止画像の送り処理を行い、ズーム環１６の回転操作による静止画像の送り処理では、例えば数十枚ずつ、又は数百枚ずつ静止画像の送り処理を行なう。
【００３８】
またメニューモードにおける動作状態においては、撮影レンズ４から受信したレンズ位置情報が焦点目盛「３０」よりも広角側になった場合においても電源ＯＦＦ処理を実行しないため、撮影レンズ４のズーム環１６の回転操作により表示部２０に表示されているメニュー画面の頁切換え処理や選択しているタブの切換え処理を行うようにしてもよい。
【００３９】
また上述の実施の形態においては、撮影レンズ４から受信したレンズ位置情報が焦点目盛「３０」よりも広角側になった場合に、デジタルカメラ２の電源ＯＦＦ処理を実行しているが、レンズ位置情報が焦点目盛「３０」よりも広角側になった場合においても電源ＯＦＦ処理を実行せず、レンズ位置情報が焦点目盛「Ｌ」になった場合に電源ＯＦＦ処理を実行するようにしてもよい。この場合において、電源ＯＮ処理をレンズ位置情報が焦点目盛「３０」よりも望遠側になった場合に行なってもよい。
【００４０】
また上述の実施の形態においては、縮筒解除ボタン１８を設け、縮筒解除ボタン１８を押下してズーム環１６を回転操作することにより、レンズ鏡筒１４を縮筒位置から伸筒位置に、または伸筒位置から縮筒位置に移動可能としていたが、縮筒解除ボタン１８を設けずズーム環１６の回転操作により、レンズ鏡筒１４を縮筒位置から伸筒位置に、または伸筒位置から縮筒位置に移動可能としてもよい。
【符号の説明】
【００４１】
２…デジタルカメラ、４…撮影レンズ、６…レンズ着脱ボタン、１４…レンズ鏡筒、１６…ズーム環、１８…縮筒解除ボタン
【図１】
2014010202.tif 000003
【図２】
2014010202.tif 000004
【図３】
2014010202.tif 000005
【図４】
2014010202.tif 000006
【図５】
2014010202.tif 000007
【図６】
2014010202.tif 000008
【図７】
2014010202.tif 000009